(57)【要約】【課題】  各種タイプの共通化を図り、支線碍子装置の組み立ての際の芯ずれや偏心を防止し、集中応力等の変位が発生せず、支線碍子装置を迅速で、容易かつ正確に組み立てることが可能な支線碍子組立治工具を提供することにある。【解決手段】  本発明の支線碍子組立治工具１は、間隔を置いて配置される２つの支線碍子８，９を連結ボルト７で連結して組み立てることにより構成される支線碍子装置２，３を設置する碍子組立治工具本体４と、碍子組立治工具本体４に取付けられる仮連結ボルト５と、支線碍子８，９の碍子座８ａ，９ａに取付けられ、仮連結ボルト５が結合する碍子座固定具６とを備え、支線碍子８，９を交換する際、支線碍子装置２，３を碍子組立治工具本体４上に設置して支線碍子装置２，３及び碍子組立治工具本体４の芯を合わせ、支線碍子装置２，３の連結ボルト７を取外して、支線碍子８，９の碍子座８ａ，９ａを碍子座固定具６及び仮連結ボルト５により固定するようにしている。【選択図】  図１
2007244166.tif 000002
【特許請求の範囲】
【請求項１】
間隔を置いて配置される２つの支線碍子を連結部材で連結して組み立てることにより構成される支線碍子装置を設置する碍子組立治工具本体と、該碍子組立治工具本体に取付けられる仮連結部材と、前記支線碍子の碍子座に取付けられ、前記仮連結部材が結合する碍子座固定具とを備え、前記支線碍子を交換する際、前記支線碍子装置を前記碍子組立治工具本体上に設置して前記支線碍子装置及び前記碍子組立治工具本体の芯を合わせ、前記支線碍子装置の連結部材を取外して、前記支線碍子の碍子座を前記碍子座固定具及び前記仮連結部材により固定するようにしたことを特徴とする支線碍子組立治工具。
【請求項２】
前記支線碍子は、碍子座を備えた上下対称となるＹ字形構造物であり、一方の支線碍子は側面視で逆Ｙ字形に配置され、他方の支線碍子は側面視でＹ字形に配置されており、前記一方の支線碍子の片側には、支線を取付けるアイ付き碍子座が設けられていることを特徴とする請求項１に記載の支線碍子組立治工具。
【請求項３】
前記碍子組立治工具本体は、互いに間隔を置いて水平に配置される上部架台及び下部架台と、これら架台を連結する中間部材とから構成されていることを特徴とする請求項１に記載の支線碍子組立治工具。
【請求項４】
前記碍子組立治工具本体の上部架台には、前記支線碍子の碍子座の水平方向の位置決めを行う断面Ｌ字状の押え具が取付けられていることを特徴とする請求項３に記載の支線碍子組立治工具。
【請求項５】
前記仮連結部材の1本は、位置合わせ治具付きであることを特徴とする請求項１〜４のいずれかに記載の支線碍子組立治工具。
【発明の詳細な説明】
【技術分野】
【０００１】
本発明は、超長波送信用鉄塔などの支線を絶縁するための支線碍子装置の支線碍子を交換する際、各構成部材を水平垂直に固定することにより、支線碍子のずれや偏心を防ぐために使用される支線碍子組立治工具に関する。
【背景技術】
【０００２】
超長波送信用鉄塔などの支線式鉄塔は、約１７０ｍ〜約２８０ｍの高さを有しており、当該鉄塔を垂直に支持するために支線が使用されている。そして、各支線の途中には、該支線を流れる電流を絶縁するために各種の支線碍子装置が挿入配置されている（例えば、特許文献１参照）。これら支線及び碍子は、自然環境及び経年劣化等による障害が発生することから、新しい支線及び碍子と交換する作業が必要となる。
一方、かかる支線式鉄塔を有する超長波送通信施設において、電波発射中はアンテナ支持柱、支線に人命の危険を伴う高電圧の高周波誘導電圧が発生しているため、支線碍子の交換工事を行う際は、電波を停波して作業を行う必要がある。
【０００３】
ところで、支線碍子装置は、様々な形状の支線碍子を組み合わせることによって構成されている。支線碍子の端部には、これら碍子を所定の間隔で連結する連結ボルトを受け入れる碍子座が設けられており、一の支線碍子の片側には、支線を取付けるアイ付き碍子座が取付けられている。
【特許文献１】特開２００４−１７１９４６号公報
【発明の開示】
【発明が解決しようとする課題】
【０００４】
しかしながら、上述した従来の支線碍子装置では、支線碍子を交換する際、一方の支線碍子が他方の支線碍子や支線に対して芯ずれや偏心を起こしていると、その箇所に集中応力が発生し、人為的な障害発生の起因となる可能性がある。そのため、支線式鉄塔において、支線碍子の連結は芯位置や水平度の精度管理が重要であり、高精度の組み立てが必要とされている。
また、支線式鉄塔に使用されている支線碍子装置は、支線径により複数のタイプが存在しており、各種タイプの支線碍子装置に対応して複数の組立治工具を用意しなければならないので、コスト高を招いていると共に、組立治工具のメンテナンスが煩雑であった。
【０００５】
本発明はこのような実状に鑑みてなされたものであって、その目的は、各種タイプの共通化を図り、支線碍子装置の組み立ての際の芯ずれや偏心を防止し、集中応力等の変位が発生せず、支線碍子装置を迅速で、容易かつ正確に組み立てることが可能な支線碍子組立治工具を提供することにある。
【課題を解決するための手段】
【０００６】
上記従来技術の有する課題を解決するために、本発明は、間隔を置いて配置される２つの支線碍子を連結部材で連結して組み立てることにより構成される支線碍子装置を設置する碍子組立治工具本体と、該碍子組立治工具本体に取付けられる仮連結部材と、前記支線碍子の碍子座に取付けられ、前記仮連結部材が結合する碍子座固定具とを備え、前記支線碍子を交換する際、前記支線碍子装置を前記碍子組立治工具本体上に設置して前記支線碍子装置及び前記碍子組立治工具本体の芯を合わせ、前記支線碍子装置の連結部材を取外して、前記支線碍子の碍子座を前記碍子座固定具及び前記仮連結部材により固定するようにしている。
【０００７】
本発明において、前記支線碍子は、碍子座を備えた上下対称となるＹ字形構造物であり、一方の支線碍子は側面視で逆Ｙ字形に配置され、他方の支線碍子は側面視でＹ字形に配置されており、前記一方の支線碍子の片側には、支線を取付けるアイ付き碍子座が設けられている。
【０００８】
また、本発明において、前記碍子組立治工具本体は、互いに間隔を置いて水平に配置される上部架台及び下部架台と、これら架台を連結する中間部材とから構成されている。
【０００９】
さらに、本発明において、前記碍子組立治工具本体の上部架台には、前記支線碍子の碍子座の水平方向の位置決めを行う断面Ｌ字状の押え具が取付けられている。
【００１０】
そして、本発明において、前記仮連結部材の1本は、位置合わせ治具付きである。
【発明の効果】
【００１１】
上述の如く、本発明に係る支線碍子組立治工具は、間隔を置いて配置される２つの支線碍子を連結部材で連結して組み立てることにより構成される支線碍子装置を設置する碍子組立治工具本体と、該碍子組立治工具本体に取付けられる仮連結部材と、前記支線碍子の碍子座に取付けられ、前記仮連結部材が結合する碍子座固定具とを備え、前記支線碍子を交換する際、前記支線碍子装置を前記碍子組立治工具本体上に設置して前記支線碍子装置及び前記碍子組立治工具本体の芯を合わせ、前記支線碍子装置の連結部材を取外して、前記支線碍子の碍子座を前記碍子座固定具及び前記仮連結部材により固定するようにしているので、複雑な形状の２つの支線碍子を有し、支線径により複数のタイプの支線碍子装置が存在していても共通化を図り、治工具コスト及びメンテナンスを大幅に低減させることができると共に、支線碍子装置の支線碍子を分離及び連結する交換作業を芯ずれや偏心を生じることなく、しかも、集中応力等の変位が発生することなく、迅速かつ正確に行うことができる。したがって、本発明の支線碍子組立治工具を使用すれば、支線碍子の交換作業の効率化を図り、支線碍子装置の組立作業の期間を短縮することができる。
【００１２】
また、本発明において、前記支線碍子は、碍子座を備えた上下対称となるＹ字形構造物であり、一方の支線碍子は側面視で逆Ｙ字形に配置され、他方の支線碍子は側面視でＹ字形に配置されており、前記一方の支線碍子の片側には、支線を取付けるアイ付き碍子座が設けられているので、接続した支線からの応力を効果的に分散させることができる。
【００１３】
さらに、本発明において、前記碍子組立治工具本体は、互いに間隔を置いて水平に配置される上部架台及び下部架台と、これら架台を連結する中間部材とから構成され、前記碍子組立治工具本体の上部架台には、前記支線碍子の碍子座の水平方向の位置決めを行う断面Ｌ字状の押え具が取付けられていると共に、前記仮連結部材の1本は、位置合わせ治具付きであるので、相対する支線碍子の芯を容易に整合させることが可能となり、支線碍子装置の組み立ての際の芯ずれや偏心を確実に防止することができる。
【発明を実施するための最良の形態】
【００１４】
以下、本発明を図示の実施の形態に基づいて詳細に説明する。
【００１５】
図１〜図１０は本発明に係る支線碍子組立治工具の実施の形態を示している。図１は本発明の実施の形態に係る支線碍子組立治工具の正面図、図２は本実施の形態の支線碍子組立治工具の平面図、図３は本実施の形態の支線碍子組立治工具を構成する碍子組立治工具本体の正面図、図４は図３の碍子組立治工具本体の平面図、図５は本実施の形態の支線碍子装置の支線碍子の平面図、図６は本実施の形態の碍子組立治工具本体に取付けられる仮連結部材固定具の平面図、図７は図６におけるＡ−Ａ線断面図、図８は図６におけるＢ−Ｂ線断面図、図９は本実施の形態の支線碍子に取付けられる碍子座固定具の一部断面図、図１０は本発明の実施の形態に係る支線碍子組立治工具を用いて組み立てられた１組の支線碍子装置を連結した状態の正面図である。
【００１６】
本実施の形態の支線碍子組立治工具１は、超長波送信用鉄塔を垂直に支持する支線（図示せず）を絶縁するための支線碍子装置２，３の組み立てに用いられる組立治工具であり、図１〜図９に示すように、垂直方向へ沿って配した支線碍子装置２（３）を上面に設置する碍子組立治工具本体４と、碍子組立治工具本体４上に取付けられる仮連結ボルト（仮連結部材）５と、後述する支線碍子の碍子座に取付けられ、仮連結ボルト５が結合する碍子座固定具６とをそれぞれ備えている。
【００１７】
上記支線碍子装置２，３は、図１０に示すように、支線を流れる電流を絶縁するために、連結ボルト（連結部材）７によって連結したものを１組として各支線の途中に挿入配置されている。そのため、碍子装置２，３は、図１、図５及び図１０に示すように、装置の軸心方向に所定の間隔を置いて配置される２つの支線碍子８，９を連結ボルト７で組み立てることによりそれぞれ構成されている。これら支線碍子８，９は、図５（Ｂ）及び（Ｃ）に示すように、上下対称となるY字形構造物であり、軸心から三方向へ延出され、かつ周方向に等間隔で形成されるアーム状の碍子座８ａ，９ａを備えている。各碍子座８ａ，９ａの先端には、1組の支線碍子装置２，３及び支線碍子８，９を所定の間隔で連結する連結ボルト７を挿通させる挿通孔１０がそれぞれ穿設されている。そして、連結ボルト７の両端には、ナット１１がそれぞれ締付けられ、相対する支線碍子装置２，３及び支線碍子８，９が所定の位置、レベル及び傾きに芯合せ状態で固定されるようになっている。
【００１８】
また、一方の支線碍子８の片側には、図１及び図１０に示すように、支線を取付ける接続部１２を備えたアイ付き碍子座１３が設けられており、該アイ付き碍子座１３は、図５（Ａ）に示すように、支線碍子８，９と同様、Y字形構造物となっている。一方の支線碍子８は平面視で逆Y字形に配置されていると共に（図５（Ｂ）参照）、アイ付き碍子座１３は平面視でY字形に配置され（図５（Ａ）参照）、他方の支線碍子９は平面視でY字形に配置されている（図５（Ｃ）参照）。
すなわち、支線碍子装置２，３は、碍子組立治工具本体４上において、下から碍子座９ａ、他方の支線碍子９、碍子座８ａ、一方の支線碍子８、アイ付き碍子座１３の順に載置されており、支線碍子８，９を交換する場合に、仮連結ボルト５、碍子座固定具６等を用いて位置決め固定されるようになっている。
【００１９】
本発明の実施形態の碍子組立治工具本体４は、図１〜図４に示すように、互いに間隔を置いて水平に配置される上部架台１４及び下部架台１５と、これら上下部架台１４，１５を連結する円柱形状の中間部材１６とから構成されている。上部架台１４は、一方の支線碍子８の碍子座８ａと対応して平面視でほぼ逆Y字形に配置され、下部架台１５は他方の支線碍子９の碍子座９ａと対応して平面視でほぼY字形に配置されており、これによって、軸心から三方向へ延出され、かつ周方向に等間隔で形成されるアーム片１４ａ，１５ａは、周方向に沿って交互に配置されることになる。アーム片１４ａ，１５ａの先端には、図６〜図８に示すような仮ボルト固定具１７を取付ける複数個（本実施形態では４個）の取付孔１８が前後左右に間隔を開けてそれぞれ穿設されており、上部架台１４のアーム片１４ａにおける軸心寄りの箇所には、クサビとなる押え具１９を取付ける複数個（本実施形態では２個）の長孔２０が幅方向に間隔を開けてそれぞれ穿設されている。これら長孔２０は、アーム片１４ａの長手方向に沿って延びており、押え具１９の同方向への位置調整が可能となっている。
【００２０】
仮ボルト固定具１７は、図１、図２及び図６〜図８に示すように、上部架台１４及び下部架台１５のアーム片１４ａ，１５ａに取付けられる平面視で四角形状の固定具本体２１と、該固定具本体２１の上面中央に配設される平面視で長方形状のボルト固定ブロック２２とから構成されている。固定具本体２１には、アーム片１４ａ，１５ａの取付孔１８と対応して４個の挿入孔２３が穿設されており、これら挿入孔２３及び取付孔１８に図示しないボルトを挿入してナットを締付けることにより、各固定具本体２１は、上部架台１４及び下部架台１５のアーム片１４ａ，１５ａに取付けられるようになっている。
また、ボルト固定ブロック２２及び固定具本体２１には、仮連結ボルト５の下端部を螺入させる２個のボルト孔２４が間隔を置いて穿設されており、これらボルト孔２４は、支線碍子８，９のタイプに応じて選択して使用するようになっている。
したがって、仮連結ボルト５は、ボルト孔２４にねじ込むことにより、仮ボルト固定具１７を介して碍子組立治工具本体４の上部架台１４及び下部架台１５上に起立してそれぞれ取付けられている。
なお、仮連結ボルト５のうち、上部架台１４上に取付けられる１本の仮連結ボルト５ａは、図１に示すように、位置合わせ治具付きとなっている。この仮連結ボルト５ａは、アイ付き碍子座１３の外周に突設させた位置合わせ治具２５との協働作用によって、支線碍子８，９及びアイ付き碍子座１３のそれぞれの間隔が所定の寸法となるように構成されている。
【００２１】
一方、碍子座固定具６は、図１及び図９に示すように、一端に大径のフランジ部６ａを有する円柱状に形成されており、その中央部には仮連結ボルト５を挿通させる貫通孔２６が穿設されている。このため、碍子座固定具６は、支線碍子８，９の碍子座８ａ，９ａの挿通孔１０と対応する大きさの径に形成されており、当該挿通孔１０に圧入してフランジ部６ａを碍子座８ａ，９ａに係合させることにより固定されている。碍子座固定具６から突出した仮連結ボルト５の上端には締結ナット２７が締付けられ、これによって、支線碍子８，９の碍子座８ａ，９ａが固定されるようになっている。
また、押え具１９は、図１及び図２に示すように、支線碍子９の碍子座９ａの水平方向の位置決めを行うものであり、碍子座９ａの外周面に当接させる押圧片１９ａと、上部架台１４のアーム片１４ａに取付ける取付片１９ｂとによって断面Ｌ字状に形成され、該取片１９ｂにはアーム片１４ａの長孔２０と対応して２個のボルト挿入孔（図示せず）が穿設されている。
【００２２】
次に、本発明の実施形態の支線碍子組立治工具１を用いて、支線碍子装置２，３の支線碍子８，９を交換して組み立てる方法について説明する。
（１）他方の支線碍子９を交換する場合
先ず、他方の支線碍子９の碍子座９ａを下に向けて支線碍子装置２（又は３）を支線碍子組立治工具１の碍子組立治工具本体４の上部架台１４上に設置し、これら支線碍子装置２（又は３）及び碍子組立治工具本体４の相互の芯を合わせる。そして、支線碍子装置２（又は３）の連結ボルト７を取外し、当該支線碍子装置のサイズに合わせながら、碍子組立治工具本体４の下部架台１５上に仮ボルト固定具１７を装着して、該仮ボルト固定具１７に仮連結ボルト５を取付けると共に、碍子座９ａの挿通孔１０に碍子座固定具６を圧入して固定する。
次いで、押え具１９によって他方の支線碍子９の碍子座９ａの水平方向の位置決めを行うと共に、仮連結ボルト５の上端を碍子座固定具６に挿入して締結ナット２７で締付け、当該碍子座９ａを上部架台１４上の所定位置にしっかりと固定する（図１参照）。この状態で、アイ付き碍子座１３、一方の支線碍子８、碍子座８ａの順に取外し、他方の支線碍子９を新たな支線碍子と交換する。その後、上記手順と逆の手順を行えば、支線碍子装置２（又は３）は組み立てられることになる。
【００２３】
（２）一方の支線碍子８を交換する場合
先ず、他方の支線碍子９の碍子座９ａを下に向けて支線碍子装置２（又は３）を支線碍子組立治工具１の碍子組立治工具本体４の上部架台１４上に設置し、これら支線碍子装置２（又は３）及び碍子組立治工具本体４の相互の芯を合わせる。そして、支線碍子装置２（又は３）の連結ボルト７を取外し、当該支線碍子装置のサイズに合わせながら、碍子組立治工具本体４の下部架台１５及び上部架台１４の上に仮ボルト固定具１７を装着して、該仮ボルト固定具１７に仮連結ボルト５，５ａを取付けると共に、碍子座９ａ及び碍子座８ａの挿通孔１０に碍子座固定具６を圧入して固定する。
次いで、押え具１９によって他方の支線碍子９の碍子座９ａの水平方向の位置決めを行うと共に、仮連結ボルト５，５ａの上端を碍子座固定具６に挿入して締結ナット２７で締付け、当該碍子座９ａ及び碍子座８ａを上部架台１４上の所定位置にしっかりと固定する（図１参照）。この状態で、アイ付き碍子座１３を取外し、一方の支線碍子８を新たな支線碍子と交換する。その後、上記手順と逆の手順を行えば、支線碍子装置２（又は３）は組み立てられることになる。
【００２４】
したがって、本発明の実施形態の支線碍子組立治工具１によれば、各種タイプの支線碍子装置２，３が存在していても、共通して使用できる一方、それぞれの支線碍子装置２，３の支線碍子８，９の芯ずれや偏心を生じることなく、碍子座８ａ，９ａの回転による角度のずれを防止しながら、迅速かつ正確に組み立てることが可能となり、支線碍子装置２，３の支線碍子８，９の交換作業を効率的に行うことができる。
【００２５】
以上、本発明の実施の形態につき述べたが、本発明は既述の実施の形態に限定されるものではなく、本発明の技術的思想に基づいて各種の変形及び変更が可能である。
例えば、仮ボルト固定具１７や碍子座固定具６は、支線碍子装置２，３のタイプに応じて外形寸法、ボルト固定ブロック２２の位置や大きさ、ボルト孔２４の数などが異なるものを用いても良い。
【図面の簡単な説明】
【００２６】
【図１】本発明の実施の形態に係る支線碍子組立治工具を示す正面図である。
【図２】上記実施の形態の支線碍子組立治工具を示す平面図である。
【図３】上記実施の形態の支線碍子組立治工具を構成する碍子組立治工具本体を示す正面図である。
【図４】図３の碍子組立治工具本体を示す平面図である。
【図５】（Ａ）〜（Ｃ）は上記実施の形態の支線碍子装置の支線碍子を示す平面図である。
【図６】上記実施の形態の碍子組立治工具本体に取付けられる仮連結部材固定具を示す平面図である。
【図７】図６におけるＡ−Ａ線断面図である。
【図８】図６におけるＢ−Ｂ線断面図である。
【図９】上記実施の形態の支線碍子に取付けられる碍子座固定具を示す一部断面図である。
【図１０】本発明の実施の形態に係る支線碍子組立治工具を用いて組み立てられた１組の支線碍子装置を連結した状態を示す正面図である。
【符号の説明】
【００２７】
１  支線碍子組立治工具
２，３  支線碍子装置
４  碍子組立治工具本体
５，５ａ  仮連結ボルト（仮連結部材）
６  碍子座固定具
７  連結ボルト（連結部材）
８，９  支線碍子
８ａ，９ａ  碍子座
１０  挿通孔
１１  ナット
１２  接続部
１３  アイ付き碍子
１４  上部架台
１５  下部架台
１６  中間部材
１７  仮ボルト固定具
１８  取付孔
１９  押え具
２０  長孔
２１  固定具本体
２２  ボルト固定ブロック
２３  挿入孔
２４  ボルト孔
２５  位置合わせ治具
２６  貫通孔
２７  締結ナット
【図１】
2007244166.tif 000003
【図２】
2007244166.tif 000004
【図３】
2007244166.tif 000005
【図４】
2007244166.tif 000006
【図５】
2007244166.tif 000007
【図６】
2007244166.tif 000008
【図７】
2007244166.tif 000009
【図８】
2007244166.tif 000010
【図９】
2007244166.tif 000011
【図１０】
2007244166.tif 000012